(57)【要約】      （修正有）【課題】移動用ロープの張設方向に自在対応することができ、安全でスムーズに移動できる、エンドレス方式のウインチ、及び該にエンドレス方式のウインチを用いた移動用ロープの移動方法を提供する。【解決手段】駆動源により回転駆動する駆動軸２を回転自在に軸支されたウインチ本体と、該駆動軸に取り付けられ、外周縁沿ってロープ４を巻回する溝の形成された巻回ドラム１１と、前記ロープを巻回する溝に沿って設けられ、両端側を弾性体１５で張設された押圧移動体１６から構成されたエンドレス方式のウインチ１において、前記駆動軸には、巻回ドラムによる移動用ロープの張設方向を自在に調整すべく、直接又は間接的に駆動を伝達する駆動用ドラム６が取り付けられている。【選択図】図１
2014210665.tif 000002
【特許請求の範囲】
【請求項１】
駆動軸の設けられたウインチ本体と、前記駆動軸に取り付けられ、外周に沿ってネット等を移動する移動用ロープを巻回する溝の形成された巻回ドラムと、該巻回ドラムの溝に沿って移動用ロープを溝側に押圧する押圧移動体から構成されたエンドレス方式のウインチにおいて、前記駆動軸には、巻回ドラムによる移動用ロープの張設方向を自在に調整すべく、直接又は間接的に駆動を伝達する駆動用ドラムが取り付けられていることを特徴とするエンドレス方式のウインチ。
【請求項２】
駆動軸を回転駆動しウインチ本体に設けられた巻回ドラムを回転して、該巻回ドラムの外周に形成された溝に巻回されネット等を移動する移動用ロープを押圧移動体で溝側に押圧しながら移動するエンドレス方式のウインチを用いた移動用ロープの移動方法において、前記ウインチ本体を巻回ドラムによる移動用ロープの張設方向に対応して設定し、前記駆動軸を回転駆動する駆動用ドラムの外周に形成された溝に巻回した駆動用ロープが上下方向に対応して移動すべく駆動軸に直接又は間接的に駆動用ドラムを取り付けた後、前記駆動用ロープを移動して駆動用ドラムを回転駆動するとともに、駆動軸を介して巻回ドラムを同期して回転し、巻回ドラムに巻回した移動用ロープを張設方向に沿って移動することを特徴とするエンドレス方式のウインチを用いた移動用ロープの移動方法。
【発明の詳細な説明】
【発明の詳細な説明】
【技術分野】
【０００１】本発明は、例えば屋内空間の防球用、又は間仕切り用として使用するネットを移動するのに用いるエンドレス方式のウインチ、及び該エンドレス方式のウインチを用いた移動用ロープの移動方法に関する。【０００２】従来、屋外空間部の防球用等のネットは、空間部の外周に沿って所望の間隔で複数本の支柱を立設し、該支柱の水平方向に沿ってエンドレス方式のウインチで移動する移動用ロープをエンドレス状に滑車を介して吊り張りし、該移動用ロープに並行に架け渡したガイド用ロープにネットの上端側に取り付けたリング等に挿通することで構成し、エンドレス方式のウインチを駆動して移動用ロープを移動することで、支柱間に沿ってネットの吊り張りする。【０００３】また、屋内空間部に吊り張りする防球用ネットは、屋内空間部の使用目的に応じて空間部の外周、又は間仕切り用としてネットを吊り張りし、ネットの水平方向に沿って移動用ロープを吊り張りし、該移動用ロープをエンドレス方式のウインチで移動することでネットを吊り張りする。【０００４】上記移動用ロープは、例えば、水平方向に滑車を介して架け渡した第１の移動用ロープと、該一方側の滑車と下方側に設置したエンドレス方式のウインチの巻回ドラムとに架け渡した第２の移動用ロープと、から構成されている。或いは、１本の移動用ロープを水平方向と垂直方向とにエンドレス状に吊り張りする。【０００５】前記ネットの面積が狭い場合は、移動用ロープでネットを直接引っ張り移動し、ネットの面積が広い場合は、上記のようにガイド用ロープを用いる。
【発明が解決しようとする課題】
【０００６】しかしながら、上記移動用ロープは、エンドレス方式のウインチで移動した第１の移動用ロープ（水平方向）の駆動を滑車を介して第２の移動用ロープ（垂直方向）に伝達してネットを移動するために、移動用ロープにかかるテンションの強弱を直接対応することができず、スムーズなネットの移動ができないという欠点があった。
【０００７】また、エンドレス方式のウインチはグランド側に設置するために、設置スペースを必要とし、且つ安全性の面で問題があった。
【０００８】また、移動用ロープの張設方向に応じて両端側に滑車を取り付ける必要あるために、張設方向を変更する場合は、滑車の取り付け方向、又は取り付け位置をその都度滑車の取り付け方向等を変更する必要があり、その取り付け作業が煩雑であるという欠点があった。
【０００９】そこで、本発明は上記課題を解決するものであって、移動用ロープの張設方向に応じて自在に設置でき、スムーズに移動用ロープを移動することができるエンドレス方式のウインチ、及び該エンドレス方式のウインチを用いた移動用ロープの移動方法を提供することを課題とするものである。
【課題を解決するための手段】
【００１０】上記課題を解決する本発明の解決手段としてのエンドレス方式のウインチは、請求項１に記載のように、駆動源の設けられたウインチ本体と、前記駆動軸に取り付けられ、外周沿ってネット等を移動する移動用ロープを巻回する溝の形成された巻回ドラムと、該巻回ドラムの溝に沿って移動用ロープを溝側に押圧する押圧移動体から構成されたエンドレス方式のウインチにおいて、前記駆動軸には、巻回ドラムによる移動用ロープの張設方向を自在に調整すべく、直接又は間接的に駆動を伝達する駆動用ドラムが取り付けられていることを特徴とする。
【００１１】また、上記課題を解決する解決手段としてのエンドレス方式のウインチを用いた移動用ロープの移動方法は、請求項２に記載のように、駆動軸を回転しウインチ本体に設けられた巻回ドラムを回転して、該巻回ドラムの外周に形成された溝に巻回されネット等を移動する移動用ロープを押圧移動体で溝側に押圧しながら移動するエンドレス方式のウインチを用いた移動用ロープの移動方法において、前記ウインチ本体を巻回ドラムによる移動用ロープの張設方向に対して設定し、前記駆動軸を回転駆動する駆動用ドラムの外周に形成された溝に巻回した駆動用ロープが上下方向に対応して移動すべく駆動軸に直接又は間接的に駆動用ドラムを取り付けた後、前記駆動用ロープを移動し駆動用ドラムを回転駆動するとともに、駆動軸を介して巻回ドラムを同期して回転し、巻回ドラムに巻回した移動用ロープを張設方向に沿って移動することを特徴とする。
【発明の作用効果】
【００１２】本発明のエンドレス方式のウインチ、及び該エンドレス方式のウインチを用いたロープの移動方法の作用効果について説明する。
【００１３】先ず、請求項１に記載のエンドレス方式のウインチは、ウインチ本体を移動用ロープの張設方向に沿って設置すべく取り付け方向を調整して、ウインチ本体の巻回ドラムと滑車間で移動用ロープを張設し、駆動軸に直接又は間接的に駆動用ドラムを取り付けて、該駆動用ドラムに駆動用ロープを巻回する。
【００１４】この状態で、駆動用ロープを移動すると駆動用ドラムが回転駆動し、駆動軸を介して巻回ドラムを同期して回転する。
【００１５】これにより、移動用ロープが張設方向に沿って移動する。
【００１６】この際、移動用ロープは押圧移動体で押圧した状態で移動するために、移動用ロープをスムーズに移動することができる。
【００１７】また、駆動用ドラムは直接又は間接的に駆動軸に取り付けられているために、移動用ロープの張設方向を調整した後、駆動用ドラムを駆動軸に取り付けることで、移動用ロープの張設方向に応じて自在に設置することができる。
【００１８】また、その構成が簡易であり、頻繁なメンテナンス作業を必要としない。
【００１９】このように、本発明のエンドレス方式のウインチは、駆動用ドラムを駆動軸に直接又は間接的に取り付けることができるので、移動用ロープの張設方向に沿って巻回ドラムを設置することができ、容易に移動用ロープを張設方向に沿って移動することができる。
【００２０】また、駆動軸を介して駆動用ドラムの回転駆動を巻回ドラムに伝達することができ、スムーズな移動用ロープの移動を可能とする。
【００２１】次に、請求項２のエンドレス方式のウインチを用いた移動用ロープの移動方法は、ウインチ本体を巻回ドラムの溝に巻回した移動用ロープの張設方向に対して設置し、前記駆動軸を回転駆動する駆動用ドラムの外周に形成された溝の巻回した駆動用ロープが上下方向に沿って移動すべく駆動軸に直接又は間接的に駆動用ドラムを取り付ける。
【００２２】次に、前記駆動用ロープを移動して駆動用ドラムを回転駆動するとともに、駆動用ドラムの取り付けられた駆動軸を介して該駆動軸に取り付けられた巻回ドラムを同期して回転する。
【００２３】これにより、前記巻回ドラムの溝に巻回した移動用ロープを張設方向に沿って移動することができる。
【００２４】このように、本発明のエンドレス方式のウインチを用いた移動用ロープの移動方法は、駆動用ドラムの駆動軸への取り付けを直接又は間接的に取り付けできるので、巻回ドラムの取り付け方向を自在に調整でき、巻回ドラムの溝に巻回した移動用ロープを張設方向に沿って調整することができ、最適な方向に沿って巻回ドラムを設置することができる。
【００２５】また、駆動用ドラムの回転駆動を巻回ドラムに駆動軸を介して直接伝達でき、巻回ドラムを回転してスムーズな移動用ロープの移動を可能とする。
【発明を実施するための最良の形態】
【００２６】次に、本発明のエンドレス方式のウインチ、及び該エンドレス方式のウインチを用いた移動用ロープの移動について図面を参照して説明する。【００２７】図１は本発明のエンドレス方式のウインチの第１実施例示す概略説明平面図であり、図２は図１のエンドレス方式のウインチを示す概略説明側面図であり、図３はエンドレス方式のウインチで移動用ロープの移動を示す概略説明平面図であり、図４、図５、及び図６は本発明のエンドレス方式のウインチで移動用ロープの他実施例を示す概略説明平面であり、図７は本発明のエンドレス方式のウインチの第２実施例を示す概略説明平面図であり、図８は本発明のエンドレス方式のウインチの他実施例を示す概略説明平面図であり、図９は図８のエンドレス方式のウインチを示す概略説明平面図であり、図１０、図１１は、本発明のエンドレス方式のウインチを用いた移動用ロープの移動を示すフローチャートである。
（第１実施例）【００２８】本発明のエンドレス方式のウインチ１は、駆動軸２を手動で回転駆動する駆動体３と、前記駆動軸２の一端側に取り付けられ、駆動軸２の回転に同期して回転する移動体５から構成されている。【００２９】前記駆動体３は、駆動軸２に固定して取り付けられた円盤状の駆動用ドラム６と、該駆動用ドラム６が設けられた前記駆動軸２に回動自在に取り付けられた駆動用本体７と、前記駆動用ドラム６の近傍で駆動用本体７に回動自在に並行に軸支した２個の案内ローラ８と、前記駆動用ドラム６の外周に形成された溝９に巻回された駆動用ロープ１０から構成されている。【００３０】尚、前記駆動体３の駆動軸２への取り付けは上記固定に限定するものでなく、例えば、ベアリングを介して移動軸２に回動自在に取り付け、駆動軸２に固定した巻回ドラム１１に軸支することも可能である。【００３１】前記移動体５は、駆動軸２に固定して取り付け、前記駆動用ドラム６より縮径の巻回ドラム１１と、該巻回ドラム１１が設けられ、前記駆動軸２に回動自在に取り付けられた移動用本体１２と、前記巻回ドラム１１の近傍で移動用本体１２に回転自在に並行に軸支した２個の案内ローラ１３と、前記巻回ドラム１１の外周に形成された溝１４に沿って巻回された移動用ロープ４と、該移動用ロープ４を溝１４側に押圧しその両端部を案内ローラ１３側に弾性体１５を介して取り付けられた押圧移動体１６から構成されている。【００３２】前記案内ローラ８は一対を並行に位置し、その間の距離は駆動用ドラム６の径より狭めて軸支することで、駆動用ロープ１０を手動で移動すると駆動用ドラム６の溝９に沿って駆動用ドラム６を回転しながら移動し、該駆動用ドラム６に固定した駆動軸２を無駄なく適切に回転を伝達することができる。【００３３】尚、上記実施例では、駆動用ドラム６の溝９の外側には、何も設けないが駆動用ロープ１０に係る荷重に応じてローラチェーンからなる押圧移動体１６を弾性体１５を介して設けることで溝９側に駆動用ロープ１０を押圧しながら移動すべく構成することも可能である。【００３４】また、駆動軸２に移動体５を複数取り付けることで、相違する方向に複数本の移動用ロープ４を張設するように構成することも可能である。【００３５】上記のように、本発明のエンドレス方式のウインチ１は構成され、次に、該ウインチ１を用いてネット２０を吊り張り移動する場合について説明する。【００３６】先ず、空間部の上方に水平にガイド用ロープ２１を張設し、該ガイド用ロープ２１にネット２０の上端側に一定の間隔で取り付けたリング（図示せず）を挿通することで、ネット２０を移動自在にガイド用ロープ２１に取り付ける。【００３７】そして、前記ガイド用ロープ２１の上方側で平行に移動用ロープ４を張設すべく、一端側にエンドレス方式のウインチ１を取り付け、他端側に滑車２２を取り付けることで、移動用ロープ４を張設する。【００３８】尚、移動用ロープ４を巻回した巻回ドラム１１は移動用本体１２を駆動軸２に沿って回動することで案内ローラ１３と押圧移動体１６の方向を前記ガイド用ロープ２１に対応する方向に変更し、移動用ロープ４を張設できる。【００３９】その後、前記ネット２０の先端側を移動用ロープ４に連結することで、該移動用ロープ４の移動に伴いネット２０をガイド用ロープ２１に沿って移動することができる。【００４０】また、上記エンドレス方式のウインチ１の駆動用ドラム６に巻回された駆動用ロープ１０は、駆動用本体７を駆動軸２に沿って回動し、案内ローラ８を下方側に位置することで駆動用ロープ１０を下方側に張設する。【００４１】以上により、本発明のエンドレス方式のウインチ１を設置する。この状態で、駆動用ロープ１０を手動で移動することで、駆動用ドラム６を回動し、駆動軸２を回転駆動する。【００４２】これにより、前記駆動軸２に取り付けられた巻回ドラム１１を同期して回転し、該巻回ドラム１１の溝１４に巻回された移動用ロープ４を滑車２２間で移動する。【００４３】、従って、前記移動用ロープ４に連結したネット２０をガイド用ロープ２１に沿って吊り張り移動、又は収納移動することができる。【００４４】このように、本発明のエンドレス方式のウインチ１を用いて移動用ロープ４を移動すると、従来のようにエンドレス方式のウインチを地面側に設置することなく、安全性に優れ、且つ手動で直接ネット２０を移動するような手間がかからず、スムーズに移動用ロープ４を移動することができる。【００４５】また、駆動用ロープ１０の張設方向、移動用ロープ４の張設方向を自在に調整することができ、設置位置を自在に調整することができる。【００４６】さらに、駆動軸２に移動体５を複数個取り付けることで、同時に張設方向の異なる移動用ロープ４を移動することができる。
（第２実施例）【００４７】第１実施例において、駆動体３と移動体５を同軸上の直接駆動軸２に取り付けたが、本発明のエンドレス方式のウインチ１は巻回ドラム１１の取り付けられた駆動軸２に駆動用ドラム６を取り付けた駆動軸２Ａを間接的に設け取り付ける場合は、連結機２５（減速機等）を介して駆動軸２に駆動軸２Ａを連結する構成も可能である。【００４８】上記の構成により、駆動軸２と駆動軸２Ａとの角度を自在に調整することができ、駆動用ドラム６は常に上下方向に駆動用ロープ１０を設置しその移動をスムーズに行うことができる。【００４９】しかも、巻回ドラム１１を水平方向に駆動軸２に設置でき、移動用ロープ４の張設方向、及び滑車２２の取り付け方向を調整することができる。【００５０】尚、上記実施例において、移動体５は移動用本体２に案内ローラ１３と押圧移動体１６を取り付け、移動用本体１２を回動することで案内ローラ１３の方向を変更し、移動用ロープ４の張設方向を決定したが、本発明において移動体５の構成はこれに限定されるものでなく、例えば駆動軸２に回動自在に略三角形、又は略Ｔ字状に形成された回動板１８を取り付け、該回動板１８に案内ローラ１３を回転自在に軸支し、押圧移動体１６の両端側を弾性体１５を介して前記回動板１８に取り付けることで、移動用本体１２を用いることなく案内ローラ１３と押圧移動体１６を巻回ドラム１１に取り付け、また、回動板１８を回動することで、案内ローラ１３の方向を変更し、移動用ロープ４の張設方向に対応することができる。【００５１】また、上記回動板１８を取り付けた巻回ドラム１１を駆動軸２に複数個取り付けることで移動用本体１２を用いる場合に比し幅狭に設置でき、狭いスペースに取り付けできる。【００５２】また、上記実施例では駆動用ドラム６に押圧移動体１６を設ける場合は、駆動用本体７に取り付けたが、上記と同様駆動用ドラム６にも回動板１９を取り付け、該回動板１８に案内ローラ８を軸支し、押圧移動体１６を取り付けることも可能である。【００５３】また、上記実施例では駆動体３を駆動用ドラム６と駆動用本体７と案内ローラ８から構成したが、本発明において、駆動体３の構成はこれに限定されるものでなく、例えば駆動用ドラム６のみで構成することも可能である。
【図面の簡単な説明】
【００５４】
【図１】本発明のエンドレス方式のウインチを示す概略説明平面図
【図２】図１のエンドレス方式のウインチを示す概略説明側面図
【図３】本発明のエンドレス方式のウインチを用いた移動用ロープの張設方向を示す概略説明平面図
【図４】本発明のエンドレス方式のウインチで移動用ロープを移動する他実施例を示す概略説明平面図
【図５】本発明のエンドレス方式のウインチで移動用ロープを移動する他実施例を示す概略説明平面図
【図６】本発明のエンドレス方式のウインチで移動用ロープを移動する他実施例を示す概略説明平面図
【図７】本発明のエンドレス方式のウインチの第２実施例を示す概略説明平面図
【図８】本発明のエンドレス方式のウインチの他実施例を示す概略説明平面図
【図９】図８のエンドレス方式のウインチを示す概略説明側面図
【図１０】本発明のエンドレス方式のウインチを用いたロープの移動方法を示すフローチャート
【図１１】本発明のエンドレス方式のウインチを用いたロープの移動方法を示すフローチャート
【符号の説明】
【００５５】１−エンドレス方式のウインチ、２−駆動軸、６−駆動用ドラム、１１−巻回ドラム
【図１】
2014210665.tif 000003
【図２】
2014210665.tif 000004
【図３】
2014210665.tif 000005
【図４】
2014210665.tif 000006
【図５】
2014210665.tif 000007
【図６】
2014210665.tif 000008
【図７】
2014210665.tif 000009
【図８】
2014210665.tif 000010
【図９】
2014210665.tif 000011
【図１０】
2014210665.tif 000012
【図１１】
2014210665.tif 000013